(57)【要約】      （修正有）【課題】微力で簡単に開閉が可能で、どの方向からでも開閉可能で、装飾性が高い引き出し付き家具を提供する。【解決手段】指力で開閉可能な引き出し付き家具は、引き出し２を持つ箱型家具において、引き出し２の前板３の周囲に指先が挿入できる幅の空隙部７を設け、前板３の２０〜３０ｍｍの厚さに５〜１５ｍｍの深さに掘り込みした前板小口面の内側に取っ手帯５を形成して、引き出し２の下部の両サイドにローラー付スライドレールを取り付け、引き出し２全体の重量を５ｋｇ以内に仕上げて、さらに引き出し２の表面には、磁着可能な表装材を貼ったスチール箔を含んでいる化粧板を使用している。【選択図】図１
0003230267.tif 000002
【実用新案登録請求の範囲】
【請求項１】
引き出しを持つ箱型家具において、前記引き出しの前板の周囲に指先が挿入できる幅の空隙部を設け、前記引き出しの前板の２０〜３０ｍｍの厚さの半分以上で５〜１５ｍｍの深さに掘り込みした前板小口面の内側に取っ手帯を形成して、引き出しの下部の両サイドにローラー付スライドレールを取り付け、前記引き出し全体の重量を５ｋｇ以内に仕上げて、さらに引き出しの前板表面には、磁着可能な表装材を貼ったスチール箔を含んでいる化粧板を使用していることを特徴とする四方指力で開閉可能な引き出し付き家具。
【請求項２】
引き出しを持つ箱型家具が備える引き出しの前板で、各引き出しの間で１５〜２５ｍｍの間隔を持ち、前板の周囲には前板小口面の厚さ幅の３〜１０ｍｍを残し、内側面を５〜１５ｍｍの深さにＲ曲面にして、指１〜２本を指し入れて引っ掛けられる形状に前板の四方向内面に縁を掘り込んだ状態の取っ手帯を形成し、また前記引き出しの両サイドの下部位置に開閉の摺動をスムーズにできるロール付きスライドレールを取り付けた、縦１００〜３００ｍｍ、横２５０〜１２００ｍｍ、奥行き３５０〜４５０ｍｍの引き出しを、前板の四方向の取っ手帯から指力での微力によって開閉摺動できることを特徴とする請求項１に記載の四方指力で開閉可能な引き出し付き家具。
【請求項３】
前記引き出しを持つ箱型家具は、引き出しを３〜１０個を持つ、高さ６００〜１５００ｍｍのチェスト型収納容器であって、前板に磁性体を取り付けた用具を吸着させているために、前板の表面に１０〜９０％の面積で磁着可能な装飾性表装材を張り付けて、前記化粧板を張り付けた引き出しを持つ箱型家具を前板小口面の四方の取っ手帯によって、引き出しの収納時の重量１０ｋｇ以内なら指力で開けることができることを特徴とする請求項１、又は請求項２に記載の四方指力で開閉可能な引き出し付き家具。
【請求項４】
引き出しの前板における装飾性表装材である着磁化粧板は、表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる装飾性化粧板を使用していることを特徴とする請求項１〜請求項３のいずれかに記載の四方指力で開閉可能な引き出し付き家具。
【考案の詳細な説明】
【技術分野】
【０００１】本考案は、引き出しを持つ箱型家具において、引き出しの前板の取っ手に、隙間も指先を挿入して、スライドレール付き引き出しを摺動させることができて、前板の表面にマグネットが吸着できる表装材を貼ったスチール箔を含んでいる化粧板を使用している四方指力で開閉可能な引き出し付き家具に関するものである。
【背景技術】
【０００２】引き出し、開き戸を持つ箱型家具において、文字を書いたり、消したりして、しかも簡単に開かない家具で、その引き出し、開き戸の表面と家具側面に、磁気吸着可能なホワイトボ−ド化粧板を使用している簡単に開かない家具として、引き出し、開き戸を持つ箱型家具において、前記引き出しの前板、前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面と側面には、白板を表装にしてスチール箔、又はスチール板を含んでいるホワイトボード化粧板を使用している文字が書けて簡単に開かない家具である（特許文献１参照）。【０００４】幼児が引き出しを持ち、取手或いは隙間のある家具を簡単に開けて内容物を取り出し、事故、迷惑を起こすことがある。これを防ぐために、簡単に家具の開け閉めができず、しかし容易に開けることが可能な家具を提供するために、引き出しを持つ箱型家具において、引き出しの前板に取手部を全く取り付けていなく、両側板、天板、底板の家具骨格構造枠体内に嵌まり込む状態になって、家具前面から突出する部分、及び２ｍｍ以上の隙間部分を持たず、引き出しの表面には、表装材を貼ったスチール箔を含んでいる化粧板を設ける。また、化粧板を張り付けた側板の一部に、引き出しを持つ箱型家具を必要に応じて開けるための磁性体を取り付けた用具を提供する（特許文献２参照）。【０００５】洗濯した生乾きの衣類などを室内で干すとき、ハンガーにかけるなどの手間を省き、コンパクトな空間でたたんで収納したまま乾燥し、また寒いときにも衣類やタオルなどを温めて使用できる衣類乾燥保温チェストとして、チェストの引き出しの下部に接する板に、温度調節できるコントロールスイッチがついたホットマットを設け、ホットマットには防水・抗菌・防カビ加工を施し、引き出しはホットマットからの熱を伝える素材で通気性のよい網目状のバスケットに取っ手を設け、その引き出しに生乾きの衣類などを入れることによってホットマットからの熱で衣類などを収納したまま乾燥・保温することができる（特許文献３参照）。【０００６】引き出しを持つ箱型家具チェストにおいて、身体に障害を持っている方が引き出しを開ける場合に簡単に手動によって引き出しを摺動による開閉できる箱型収納家具については存在していない。またその引き出しの前板の表面に、種々の要件、記録などメモを付ける表装材を貼ったスチール箔を含んでいる化粧板を使用している家具で、簡単に弱い力で家具の開閉ができるものは期待されている。
【先行技術文献】
【特許文献】
【０００７】
【特許文献１】実用新案登録第３２１９２７１号公報
【特許文献２】実用新案登録第３２１２２９４号公報
【特許文献３】特開２０１４−３９７８４号公報
【考案の概要】
【考案が解決しようとする課題】
【０００８】家具の引き出しにおける取っ手などは、家具表面に取り付けるもので、幼い子でも容易に開放させることができる。また防犯、或いは危険防止には引き出しなどにロック機能を引き出しに１つ１つに設ける必要になる、その場合には固定に手間が掛かり、同時に開放にも手間が掛かるものである。また身体の障害を持っている方は力、行動力が鈍ってきて、簡単に引き出しの開閉に苦痛を覚える場合がある。簡単に家具の引き出しを種々の位置から微力で容易に開けることができ、連絡事項などメモを簡単に貼り付けておくことができるチェスト型収納容器が望まれている。このような従来の構成が有していた問題を解決しようとするもので、すべての引出しの前板に四方に取っ手帯を取り付けて、あらゆる方向から開閉を微力で可能なチェストが期待されている。このような引き出しを持つ家具を提供することを目的とする。【０００９】引き出しを持つ箱型家具において、家具の表面に磁気吸着力を持つ化粧板を使用した場合には、障害を持った方が生活する場合には、種々の記録、模様、写真のプリントされたボンド磁性シートを簡単に貼ることができて、その記録、模様、写真のプリントの模様を種々変えことも容易であり、生活する家具を部屋内に設置する環境（具体的には自分の家の居間等の部屋）に実際に家具の模様若干変更して、雰囲気を変える場合には簡単に家具の表面をモデルチェンジさせることができる。設置した家具に自身の記憶に頼って想像したイメージの絵柄を貼り合わせながら家具の模様を選択することもできる。好みのデザイン写真、模様を貼ることによって，上記環境と調和のとれた家具を設置することを期待されている。【００１０】そこで，本考案は上記事情に鑑みてなされたものであり，その目的とするところは，しかし微力で簡単な開閉が可能な引き出しで、前板に四方に取っ手帯を取り付けて、どの方向でも簡単に開閉を可能にする。引き出しの間の間隔も調整して、身体障害者、後期高齢者などで身体の動きを自由にできない方に対する収納容器を提供する。特に家具の引き出しの表面にスチール箔を含む化粧板を使用すると、マグネットによって吸着して、種々の記録、模様、写真のプリントされたボンド磁性シートを簡単に貼ることができるものである。さらに引き出しの表面には、表装材を貼ったスチール箔を含んでいる化粧板を使用して装飾性を替えたり、雰囲気を高める家具を、身体障害者、後期高齢者などで身体の動きを自由にできない方に提供することを目的とする。
【課題を解決するための手段】
【００１１】引き出しを持つ箱型家具において、前記引き出しの前板の周囲に指先が挿入できる幅の空隙部を設け、前記前板の２０〜３０ｍｍの厚さの半分以上で５〜１５ｍｍの深さに掘り込みした前板小口面の内側に取っ手帯を形成して、引き出しの下部の両サイドにローラー付スライドレールを取り付け、引き出し全体の重量を５ｋｇ以内に仕上げて、さらに引き出しの表面には、磁着可能な表装材を貼ったスチール箔を含んでいる化粧板を使用している四方指力で開閉可能な引き出し付き家具である。【００１２】引き出しを持つ箱型家具が備える引き出しの前板で、各引き出しの間で１５〜２５ｍｍの間隔を持ち、前板の周囲には前板小口面の厚さ幅の３〜１０ｍｍを残し、内側面を５〜１５ｍｍの深さにＲ曲面にして、指１〜２本を指し入れて引っ掛けられる形状に前板の四方向内面に縁を掘り込んだ状態の取っ手帯を形成し、また前記引き出しの両サイドの下部位置に開閉の摺動をスムーズにできるロール付きスライドレールを取り付けた、縦１００〜３００ｍｍ、横２５０〜１２００ｍｍ、奥行き３５０〜４５０ｍｍの引き出しを、前板の四方向の取っ手帯から指力での微力によって開閉摺動できる。【００１３】前記引き出しを持つ箱型家具は、引き出しを３〜１０個を持つ、高さ６００〜１５００ｍｍのチェスト型収納容器であって、前板に磁性体を取り付けた用具を吸着させているために、磁着表装材を張った前板の表面に１０〜９０％の面積で磁着可能な装飾性表装材を張り付けて、前記化粧板を張り付けた引き出しを持つ箱型家具を前板小口面の四方の取っ手帯によって、引き出しの収納時の重量１０ｋｇ以内なら指力で開けることができる。【００１４】引き出しの前板における装飾性表装材である着磁化粧板は、表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる装飾性化粧板を使用している。
【考案の効果】
【００１５】身体障害者、後期高齢者などで身体の動きを自由にできない方においては、指力の微力で引き出しを簡単な開閉できて、前板に四方に取っ手帯を取り付けて、どの方向でも簡単に開閉が可能になる。また引き出しの間の間隔も調整して、身体障害者、後期高齢者などで身体の動きを自由にできない方が独自の収納容器を簡単に活用できて、収納作業ができるようになる。また家具の引き出しの表面にスチール箔を含む化粧板を使用するために、マグネットが簡単に吸着して、種々の必要なメモ、記録事項、独自の好みの模様・写真をプリントされたボンド磁性シートによって、前板に簡単に貼ることができるので楽しみを増してくる。さらに引き出しの表面には、表装材を貼ったスチール箔を含んでいる化粧板を使用して種々の装飾性ボンド磁性シートを日ごとに替えたり、部屋内の雰囲気を高める家具になる。【００１６】また身体の障害を持っている身体障害者、後期高齢者など方は力、行動力が鈍ってきて、簡単に引き出しの開閉に苦痛を覚える場合がある。簡単に家具の引き出しを種々の位置から微力で容易に開けることができるようになる。すべての引出しの前板に四方に取っ手帯と特殊ロール付きスライドレールを取り付けてあるので、あらゆる方向から開閉を微力で摺動可能なチェストになり、種々の収納容器として引き出しを持つ家具が提供できるようになった。
【図面の簡単な説明】
【００１７】
【図１】四方指力で開閉可能な引き出し付き家具の斜視図である。Ａ：  通常状態  Ｂ：磁着効果を使用した状態
【図２】四方指力で開閉可能な引き出し付き家具の開閉の断面状態図である。Ａ：  断面図  Ｂ：引き出しの取っ手帯の指挿入状態（イ：上部、ロ：下部、ハ：右部、二：左部）
【図３】四方指力で開閉可能な引き出し付き家具に引き出しの状態図である。Ａ：引き出しの斜視図  Ｂ：前板の取っ手帯状態  Ｃ：側面図
【考案を実施するための形態】
【００１８】以下、本考案の実施形態について、図面を参照して説明する。
化粧板を使用したチェストの概略斜視図である。
【実施例１】
【００１９】図１Ａに示すように引き出しを持つ箱型家具において、前記引き出しの前板の周囲に指先が挿入できる幅の空隙部を設け、図３に示すように前記前板の２５ｍｍの厚さの２／３程度で１０ｍｍの深さに円曲的に掘り込みした前板小口面の内側に取っ手帯を形成して、引き出しの下部の両サイドにローラー付スライドレールを取り付け、引き出し全体の重量を５ｋｇ以内に仕上げて、さらに引き出しの表面には、磁着可能な表装材を貼ったスチール箔を含んでいる化粧板を使用している指力で開閉可能な引き出し付き家具であった。【００２０】引き出しを持つ箱型家具が備える引き出しの前板で、各引き出しの間で２０ｍｍの間隔を持ち、前板の周囲には前板小口面の厚さ幅の５ｍｍを残し、内側面を１０ｍｍの深さにＲ曲面にして、指１〜２本を指し入れて引っ掛けられる形状に前板の四方向内面に縁を掘り込んだ状態の取っ手帯を形成し、また前記引き出しの両サイドの下部位置に開閉の摺動をスムーズにできる長さ３００ｍｍのロール付きスライドレールを取り付けた、最上段部に縦２５０ｍｍ、横４００ｍｍ、奥行き４００ｍｍの２個の引き出しと、それ以下の下４段部に縦２５０ｍｍ、横９００ｍｍ、奥行き４００ｍｍの４個の引き出しにして、前板の上下、左右の四方向の取っ手帯から指力での微力によって開閉摺動できるようにした。【００２１】前記引き出しを持つ箱型家具は、引き出しを６個を持つ、高さ１４００ｍｍのチェスト型収納容器であって、前板に磁性体を取り付けた用具を吸着させているために、図１Ｂに示すように、磁着表装材を張った前板の表面に３０〜１００％の面積で磁着可能な装飾性表装材を張り付けて、前記化粧板を張り付けた引き出しを持つ箱型家具を前板小口面の四方の取っ手帯によって、引き出しの収納時の重量１０ｋｇ以内なら指力で開けることができた。【００２２】引き出しの前板における装飾性表装材である着磁化粧板は、磁着表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に５０μｍの厚さのスチール箔を含んでいる装飾性化粧板を使用して、チェスト型収納容器の表面に介護、養護に必要な要件を記述したものを張ることができ、また雰囲気を変える写真、絵画を貼っておくことができた。
【実施例２】
【００２３】実施例１と同様に、引き出しを持つ箱型家具において、前記引き出しの前板の周囲に指先が挿入できる幅の空隙部を設け、前記前板の２０ｍｍの厚さで８ｍｍの深さに掘り込みした前板小口面の内側に取っ手帯を形成して、引き出しの下部の両サイドにローラー付スライドレールを取り付け、引き出し全体の重量を４ｋｇ以内に仕上げて、さらに引き出しの表面には、磁着可能な表装材を貼ったスチール箔を含んでいる化粧板を使用している指力で開閉可能な引き出し付き家具であった。【００２４】引き出しを持つ箱型家具が備える引き出しの前板で、各引き出しの間で２０ｍｍの間隔を持ち、前板の周囲には前板小口面の厚さ幅の３ｍｍを残し、内側面を８ｍｍの深さにＲ曲面にして、指１〜２本を指し入れて引っ掛けられる形状に前板の四方向内面に縁を掘り込んだ状態の取っ手帯を形成し、また前記引き出しの両サイドの下部位置に開閉の摺動をスムーズにできるロール付きスライドレールを取り付けた、縦２５０ｍｍ、横６００ｍｍ、奥行き３５０ｍｍの４段の引き出しを、前板の四方向の取っ手帯から指力での微力によって開閉摺動できた。【００２５】前記引き出しを持つ箱型家具は、引き出しを４個を持つ、高さ１０００ｍｍのチェスト型収納容器であって、前板に磁性体を取り付けた用具を吸着させているために、前板の表面に３０％の面積で磁着可能な装飾性表装材を張り付けて、前記化粧板を張り付けた引き出しを持つ箱型家具を前板小口面の四方の取っ手帯によって、引き出しの収納時の重量１０ｋｇ以内なら指力で開けることができた。【００２６】引き出しの前板における装飾性表装材である着磁化粧板は、磁着表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に１００μｍの厚さのスチール箔を含んでいる装飾性化粧板を使用して、チェスト型収納容器の表面に介護、養護に必要な要件を記述したものを張ることができ、また雰囲気を変える写真、絵画を貼っておくことができた。
【実施例３】
【００２７】実施例１と同様に、引き出しを持つ箱型家具において、前記引き出しの前板の周囲に指先が挿入できる幅の空隙部を設け、前記前板の２５ｍｍの厚さで１２ｍｍの深さに掘り込みした前板小口面の内側に取っ手帯を形成して、引き出しの下部の両サイドにローラー付スライドレールを取り付け、引き出し全体の重量を５ｋｇ以内に仕上げて、さらに引き出しの表面には、磁着可能な表装材を貼ったスチール箔を含んでいる化粧板を使用している指力で開閉可能な引き出し付き家具であった。【００２８】引き出しを持つ箱型家具が備える引き出しの前板で、各引き出しの間で２５ｍｍの間隔を持ち、前板の周囲には前板小口面の厚さ幅の５ｍｍを残し、内側面を１２ｍｍの深さにＲ曲面にして、指１〜２本を指し入れて引っ掛けられる形状に前板の四方向内面に縁を掘り込んだ状態の取っ手帯を形成し、また前記引き出しの両サイドの下部位置に開閉の摺動をスムーズにできるロール付きスライドレールを取り付けた、縦３００ｍｍ、横８００ｍｍ、奥行き４００ｍｍの５段の引き出しを、前板の四方向の取っ手帯から指力での微力によって開閉摺動できた。【００２９】前記引き出しを持つ箱型家具は、引き出し５個を持つ、高さ１５００ｍｍのチェスト型収納容器であって、前板に磁性体を取り付けた用具を吸着させているために、前板の表面に５０％の面積で磁着可能な装飾性表装材を張り付けて、前記化粧板を張り付けた引き出しを持つ箱型家具を前板小口面の四方の取っ手帯によって、引き出しの収納時の重量１０ｋｇ以内なら指力で開けることができた。【００３０】引き出しの前板における装飾性表装材である着磁化粧板は、磁着表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２００μｍの厚さのスチール箔を含んでいる装飾性化粧板を使用して、チェスト型収納容器の表面に介護、養護に必要な要件を記述したものを張ることができ、また雰囲気を変える写真、絵画を貼っておくことができた。
【符号の説明】
【００３１】１、収納容器家具チェスト
２、引き出し
３、前板
４．表面
５、取っ手帯
６．Ｒ曲面掘り込み
７．間隔  空隙部
８．指
９、磁着表装材
１０、スライドレール
１１、天板
１２、模様、写真
１３、ボンド磁性シート
１４、側板
【図１】
0003230267.tif 000003
【図２】
0003230267.tif 000004
【図３】
0003230267.tif 000005